(57)【要約】 【課題】この発明は、台車等に段積みされた荷物の荷崩れ防止のために荷物の周囲に巻き付け固定する荷崩れ防止バンドを２通りに使用する改良構造に関する。【解決手段】荷崩れ防止バンドは、固定用バンド部で巻き付けた個所の隙間部分を補助バンド部で覆うことで、荷崩れの防止を確実に行うことができる。更に、この発明では、補助バンドを外側に向かって折ることで、巻付け用バンド部の長さを延長させることができ、段積み荷物の輪郭形状が大きい場合に対応させることができ、１つの荷崩れ防止バンドで２通りに使用することができる。【選択図】図１
2008100737.tif 000002
【特許請求の範囲】
【請求項１】
段積み荷物に巻き付け固定するための荷崩れ防止バンド（１）において、
段積み荷物に巻き付ける帯状の巻付け用バンド部（２）と、
該巻付け用バンド部（２）の先端に設けられた通し孔（４）と、
前記巻付け用バンド部（２）の幅と同等の幅に設定されて、巻付け用バンド部（２）の先端近傍に端部が固着されると共に、上記端部から内向きに折ると前記巻付け用バンド部（２）と重なり、該重なる面の相互に雌雄一対の面ファスナを設けて剥離可能に接合され、上記端部から外向きに折ると巻付け用バンド部（２）の先端を超えて延長方向に延びる帯状の補助バンド部（２０）と、
該補助バンド部（２０）の先端に設けられて前記通し孔（４）とほぼ同形状の補助通し孔（２４）と、
前記巻付け用バンド部（２）より幅狭であって前記通し孔（４）および補助通し孔（２４）に挿通可能な幅に設定されて、前記巻付け用バンド部（２）の基端から延長方向外方へ延びると共に、前記通し孔（４）または補助通し孔（２４）に通して折り返し、該折り返した状態で重なる面相互に雌雄一対の面ファスナを設けて剥離可能に接合される帯状の固定用バンド部（１０）と、
該固定用バンド部（１０）を接合した状態で前記補助バンド部（２０）を固定バンド部（１０）の上に重ねた際に前記巻付け用バンド部（２）と補助バンド部（２０）との重なる面相互に設けられた雌雄一対の面ファスナとからなることを特徴とする荷崩れ防止バンド。
【請求項２】
通し孔（４）が、巻付け用バンド部に固着される枠状の把持部（３）の中途位置を略コ字状に突出させて形成してなり、補助通し孔（２４）が、補助バンド部（２０）に固着される枠状の把持部の中途位置をコ字状に突出させて形成してなることを特徴とする請求項１に記載の荷崩れ防止バンド。
【発明の詳細な説明】
【技術分野】
【０００１】
本発明は、台車やパレット等に段積みされた荷物の荷崩れ防止のために段積み荷物の周囲に巻き付け固定する荷崩れ防止バンドの改良に関する。
【背景技術】
【０００２】
繰り返し使用可能な荷崩れ防止バンドとして、例えば特開２００４−２３１１３０号が開示されている。
この荷崩れ防止バンドは、段積み荷物に巻き付ける帯状の巻き付け部と、前記巻き付け部の第１端部に沿って取り付けられかつ該巻き付け部の幅と同等の長さをもつ第１取っ手ロッドと、前記巻き付け部の第１端部中央に切り欠いた凹部と前記第１取っ手ロッドにより囲まれた通し孔と、前記巻き付け部の第２端部に沿って取り付けられかつ該巻き付け部の幅と同等の長さをもつ支持ロッドと、前記巻き付け部よりも幅が狭くかつ前記第２端部中央から延在する帯状のバンド固定部と、前記バンド固定部の端部に沿って取り付けられかつ該バンド固定部の幅と同等の長さをもつ第２取っ手ロッドと、前記バンド固定部の片面上に設けた第１面ファスナと、前記バンド固定部の前記片面上端部に設けた第２面ファスナとを有し、前記巻き付け部を段積み荷物に巻き付け、前記バンド固定部の前記第２取っ手ロッドを前記巻き付け部の前記通し孔に通し該バンド固定部を折り返したときに前記第１面ファスナと前記第２面ファスナとが接合可能である構成からなっている。
しかし、上記構成の荷崩れ防止バンドでは、バンド固定部が巻き付け部よりも幅が狭く設定されているため、段積み荷物に固定用バンド部で巻き付けられた部分は、巻き付け部で巻き付けられた部分に比べて幅狭となり、荷崩れしやすく十分な巻き付けが行われないという欠点があった。
【特許文献１】特開２００４−２３１１３０号
【発明の開示】
【発明が解決しようとする課題】
【０００３】
この発明は、上記欠点を解消するために創案したものであって、その主たる課題は、固定用バンド部で巻き付けた個所の隙間部分を補助バンド部で覆うことで、荷崩れの防止を確実に行うことができる。
更に、この発明では、補助バンドを外側に向かって折ることで、巻付け用バンド部の長さを延長させることができ、段積み荷物の輪郭形状が大きい場合に対応させることができ、１つの荷崩れ防止バンドで２通りに使用することができる。
【課題を解決するための手段】
【０００４】
この発明は、上記課題を達成するために、請求項１の発明では、
段積み荷物に巻き付け固定するための荷崩れ防止バンドにおいて、
段積み荷物に巻き付ける帯状の巻付け用バンド部と、
該巻付け用バンド部の先端に設けられた通し孔と、
前記巻付け用バンド部の幅と同等の幅に設定されて、巻付け用バンド部の先端近傍に端部が固着されると共に、上記端部から内向きに折ると前記巻付け用バンド部と重なり、該重なる面の相互に雌雄一対の面ファスナを設けて剥離可能に接合され、上記端部から外向きに折ると巻付け用バンド部の先端を超えて延長方向に延びる帯状の補助バンド部と、
該補助バンド部の先端に設けられて前記通し孔とほぼ同形状の補助通し孔と、
前記巻付け用バンド部より幅狭であって前記通し孔および補助通し孔に挿通可能な幅に設定されて、前記巻付け用バンド部の基端から延長方向外方へ延びると共に、前記通し孔または補助通し孔に通して折り返し、該折り返した状態で重なる面相互に雌雄一対の面ファスナを設けて剥離可能に接合される帯状の固定用バンド部と、
該固定用バンドを接合した状態で前記補助バンド部を固定バンド部の上に重ねた際に前記巻付け用バンド部と補助バンド部との重なる面相互に設けられた雌雄一対の面ファスナとからなることを特徴とする。
請求項２の発明では、
前記通し孔が、巻付け用バンド部に固着される枠状の把持部の中途位置を略コ字状に突出させて形成してなり、補助通し孔が、補助バンド部に固着される枠状の把持部の中途位置をコ字状に突出させて形成してなることを特徴とする。
【発明の効果】
【０００５】
この発明の荷崩れ防止バンドは、巻付け用バンド部より幅狭な固定用バンド部を用いて取付作業の作業性の向上を図ると共に、補助バンド部を設けて１つの荷崩れ防止バンドを２通りに使用することができるようにしている。
即ち、通常の使用法では、固定用バンド部を折り返して締め付ける個所で巻付け用バンド部との縦幅の差から生じる隙間部分を補助バンド部で覆うことで、荷崩れの防止を確実に行うことができる。
また、固定用バンド部を外側に向かって折ることで、巻付け用バンド部に代わってその先端位置を延長させ補助通し孔を用いて固定用バンド部を折り返して固定することができるので、段積み荷物の輪郭形状が大きい場合に対応させることができる。
【発明を実施するための最良の形態】
【０００６】
この発明の荷崩れ防止バンドは、固定用バンド部を有する巻付け用バンド部に剥離可能に補助バンド部を設けており、固定バンド部で巻付け用バンド部を締め付けて固定する際には補助バンド部で固定バンド部を覆うことができ、段積み荷物の外周が大きい場合は補助バンド部を巻付け用バンド部の外側に延ばして実質的に巻付け用バンド部を延長し、固定バンド部で締め付けて固定することで、２通りの使用法を実現した。
【実施例１】
【０００７】
以下に、この発明の荷崩れ防止バンド１の好適実施例について図面を参照しながら説明する。
荷崩れ防止バンド１は、通常、各構成部材を縫合して製造されるが、図示例では縫い目を省略している。
縫合の他に、熱圧着、接着等の他の手段を用いて製造することもできる。
【０００８】
［巻付け用バンド部］
図１〜図５に示すように、荷崩れ防止バンド１は、段積み荷物に巻き付けるための巻付け用バンド部２を有する。
この巻付け用バンド部２は、所定の幅を有するポリエステル等の生地からなる可撓性を有する帯状部材からなる。
また、巻付け用バンド部２の長さは、固定しようとする段積み荷物の周囲長さに対応した適宜長さに設定される。
【０００９】
［把手部］
巻付け用バンド部２の先端（図１の右側）に沿って把手部３が取り付けられる。
該把持部３は、巻付け用バンド部２の幅とほぼ同等の長さを有する剛体の合成樹脂製の枠体からなっているが、金属製でもよい。
【００１０】
この把持部３は、無端で略矩形の枠体からなっており、後方の枠辺に巻付け用バンド部２の先端を巻き付けて固定することで、巻付け用バンド部２の先端を広げた状態で維持することができる。
【００１１】
［通し孔］
この把持部３の前方の辺には、その中央をコ字状に突出させた凸部３ａを設けており、該凸部３ａと巻付け用バンド部２の先端によって略矩形の孔が形成され、後述の固定用バンド部１０の先端を通す通し孔４となっている。
また、把持部３に、前記凸部３ａの開放側を仕切用の柱３ｂで仕切って、通し孔４と巻付け用バンド部２の先端を通して巻き付けるための空間とに二分するように形成してもよい（図７参照）。
本実施例では、通し孔４を把持部３に設けたが、この発明では、把持部や通し孔の構造は特に限定されるものではない。
【００１２】
図１１（ａ）に示す把持部３では、凸部３ａが、その上下に設けられて前方へ延びる一対の枠辺部３２を外方に向かって漸次幅広に広がるテーパ状に形成されており、その延出端の間を繋いで上下に延びる先端の枠辺部３１の中央に、中央部分が最も横幅が広く上下両側に向かって徐々に横幅が狭くなる円弧形状の縁部を有するガイド片部３３が、その横幅が幅広となる個所が仕切用の柱３ｂへ向くように配置して先端の枠辺部３１に一体に形成されている。
【００１３】
固定バンド部１０の自由端を通し孔４に挿入して折り返して固定バンド部１０を引っ張ると、固定バンド部１０はその中央部分がガイド片部３３の円弧形状にガイドされて、その最も横幅が広くなる個所を境に、上方の縁部に接するバンドの部分は上方向にガイドされ、下方の縁部に接するバンドの部分は下方向にガイドされるので、固定バンド部１０の中央部分に皺がよったり捩れることなく上下の両側に引っ張られた状態で固定バンド部１０を締め付けることができる。
また、枠辺部３２、３２はテーパ状に延びており、縦幅の狭い基端側が固定バンド部１０の縦幅より僅かに長く、縦幅の広い先端側が更に長く設定されているので、固定バンド部１０が皺を解消して上下方向にずれて折り返された場合であっても、通し孔４の上下方向にクリアランスができるので、折り返されるバンド部分の上下方向での皺や捻れを防止できる。
【００１４】
上記把持部３の構造は、巻付け用バンド部２と固定バンド部１０とが同じ縦幅で一連に形成されている荷崩れ防止バンドの場合にも適用することができる。
図１１（ｂ）に示す把持部３’は、上記巻付け用バンド部２と同じ幅の固定バンド部１０を通して締め付ける場合に用いるものであって、把持部３’の通し孔４を形成する枠体が、上下に設けられて前方へ延びる一対の枠辺部３２’を外方に向かって漸次幅広に広がるテーパ状に形成されており、その延出端の間を繋いで上下に延びる先端の枠辺部３１’の中央に、中央部分が最も横幅が広く上下両側に向かって徐々に横幅が狭くなる円弧形状の縁部を有するガイド片部３３’が、その横幅が幅広となる個所が仕切用の柱３４’へ向くように配置して先端の枠辺部３１’に一体に形成されている。
この場合も上記実施例と同様の作用となる。
【００１５】
即ち、前記固定バンド部の自由端（巻付け用バンド部２の後端、以下同じ）を通し孔４に挿入して折り返し、上記固定バンド部を引っ張ると、固定バンド部１０はその中央部分がガイド片部３３’の円弧形状にガイドされて、その最も横幅が広くなる個所を境に、上方の縁部に接するバンドの部分は上方向にガイドされ、下方の縁部に接するバンドの部分は下方向にガイドされるので、固定バンド部の中央部分に皺がよったり捩れることなく上下に引っ張られた状態で固定バンド部を締め付けることができる。
また、枠辺部３２’、３２’はテーパ状に延びており、縦幅の狭い基端側が固定バンド部の縦幅より僅かに長く、縦幅の広い先端側が更に長く設定されているので、固定バンド部が皺を解消して上下方向にずれて折り返された場合であっても、通し孔４の上下方向にクリアランスができるので、折り返されるバンド部分の上下方向での皺や捻れを防止できる。
【００１６】
［補助バンド部］
前記巻付け用バンド部２の表面２ａでの先端近傍には、巻付け用バンド部２の幅と同じ幅に設定された帯状の補助バンド部２０の基端が固着（固着端２１とする）されている（図２、図３参照）。
また、補助バンド部２０の先端には、前記巻付け用バンド部２の把持部３と通し孔４と同様にこれに対応して同一形状からなる補助把持部２３と補助通し孔２４とが形成されている。
上記補助バンド部２０は、巻付け用バンド部２に固着された固着端２１を基点にして内向きに折ると、図２に示すように前記巻付け用バンド部２と重なる。
【００１７】
［第３、第４の面ファスナ］
この巻付け用バンド部２の中途位置と補助バンド部２０の自由端２２側とで重なる面の相互に、雌雄一対の第３、第４の面ファスナＦ３、Ｆ４が設けられており、補助バンド部２０が巻付け用バンド部２に重なる待機位置で剥離可能に接合される。
図示例の場合、第３の面ファスナＦ３は雌（パイル形成面、以下同じ）であり、巻き付け用バンド部２の中途位置で上下一対に設けられている。
【００１８】
一方、第４の面ファスナＦ４は雄（フック形成面、以下同じ）であって、補助バンド部２０の内面２０ａの自由端に沿って上下一対に配置されている（図６（ａ）参照）。
ここで、第３の面ファスナＦ３は、前記第４の面ファスナＦ４と対になって剥離可能に接合するものであればよく、その雌雄は逆に設定されていてもよく、その数や配置も図示例に限定されるものでないこと勿論である。
【００１９】
［第５、第６の面ファスナ］
また、補助バンド部２０の外面２０ｂの自由端２２に沿って、第５の面ファスナＦ５が形成され（図５、図６（ｂ）参照）、巻付け用バンド部２には、その基端から中途位置まで延びる第６の面ファスナＦ６が設けられている。
【００２０】
図示例の場合、第５の面ファスナＦ５は雄からなっており、上下両端および中間に２個所の合計４個所にほぼ等間隔に面ファスナが取り付けられている。
一方、第６の面ファスナＦ６は雌からなっており、巻付け用バンド部２の基端で上下両端および中間に２個所の合計４個所で中途位置まで延びるやや長尺の面ファスナが取り付けられている。
【００２１】
ここで、中間に設けられた２つの第６の面ファスナＦ６’は、後述の第１の面ファスナＦ１の延長上に形成されている。
また、ここでも、第５の面ファスナＦ５は、前記第６の面ファスナＦ６と対になって剥離可能に接合するものであればよく、その雌雄は逆に設定されていてもよく、その数や配置も図示例に限定されるものでない。
更に、第６の面ファスナＦ６を複数設け、第５の面ファスナＦ５は複数に分割せず、縦幅に沿って一連に延びる１条の面ファスナとしてもよい。
【００２２】
上記補助バンド部２０は、前記固定端２１を基点にして外向きに折ると、図３に示すように巻付け用バンド部２の先端を超えて延長方向に延びる。
これにより補助バンド部２０の補助把持部２３と補助通し孔２４とが巻付け用バンド部２の把持部３と通し孔４に替わって機能する。
【００２３】
巻付け用バンド部２の基端（図１の左側）に沿って、該端部が緊張状態を保つように補強部材５が取り付けられる。
補強部材５は、本実施例では剛性を有する細幅のプレートを内蔵しているが、プレートに限らずロッド状のもの、あるいは生地の厚みを持たせて端部を補強するものなどであってもよい。
【００２４】
［固定用バンド部］
次ぎに、巻付け用バンド部２の基端の中央部分には、巻付け用バンド部２よりも幅の狭い帯状部材である固定用バンド部１０の一方の端部がその中央に固着され、長手方向に延出している（図４参照）。
【００２５】
この固定用バンド部１０は、巻付け用バンド部２と同じ可撓性を有するポリエステル等の素材からなっている。
図示例で、固定用バンド部１０の幅は、巻付け用バンド部２の幅の半分程度としているが、この発明では巻付け用バンド部２より幅狭であればよく、特に限定されない。
【００２６】
［第２把持部］
さらに、固定用バンド部１０の反対側の自由端部１１には、この自由端部に沿って固定用バンド部１０を引っ張るための第２把持部１３が形成される。
図示例の場合、第２把持部１３は、固定用バンド部１０の自由端１１に沿って固着されたロッドと、固定用バンド部１０の自由端の中央近傍に形成されたコ字状の切欠からなって前記ロッドと切欠とによって把持孔１４が形成されている。
この発明で、第２把持部１３および把持孔１４の構成は上記実施例に限定されるものではなく、固定用バンド部１０を引っ張るために持つことができる把手部であればよい。
【００２７】
［第１の面ファスナ］
さらに、固定用バンド部１０の片面である表面１０ａ上には、端部近傍を除いた長手方向の全長に亘って雌の第１の面ファスナＦ１が上下一対に取り付けられている。
本実施例では、一対の第１の面ファスナＦ１は固定用バンド部１０を超えてさらに巻付け用バンド部２の表面２ａの中途位置まで同一線上に一連に延びており、後述の第６面ファスナＦ６’の一部を構成している。
なお、図４に示すように、巻付け用バンド部２および後述の固定バンド部１０の荷物と接触する側の内面２ｂには、面ファスナは設けられておらず凹凸の無い扁平面となっている。
【００２８】
この第１の面ファスナＦ１の長さは、固定しようとする段積み荷物の周囲長さに適して設定される巻付け用バンド部２の長さを考慮して適宜設定されるが、更に延長して第６面ファスナＦ６’となり、後述の補助バンド部２０の先端に形成された第５面ファスナＦ５とも接合しうるようになっている。
【００２９】
［第２ファスナ面］
さらに第１の面ファスナＦ１が取り付けられた片面と同じ表面２ａ上の固定用バンド部１０の自由端１１側には、雄からなる第２の面ファスナＦ２が、前記第１の面ファスナＦ１と同じ幅で繋がって上下一対に取り付けられている。
該第２の面ファスナＦ２は、前記第１の面ファスナＦ１と対になって剥離可能に接合するものであればよく、その雌雄は逆に設定されていてもよく、その数や配置も図示例に限定されるものでないこと勿論である。
【００３０】
［荷崩れ防止バンドの使用法１］
荷崩れ防止バンド１は、巻付け用バンド部２と固定用バンド部１０とを広げて段積み荷物３０の周囲に巻き付ける。
巻き付けた後、作業者は片手で巻付け用バンド部２の把持部３を持ち、片手で固定用バンド部１０の第２把持部１３を掴んでそれぞれの両端部を引き寄せて、荷崩れ防止バンド１で段積み荷物３０を締め付けると共に、荷崩れ防止バンド１が偏ったり捻れたりしないように姿勢を整える。
【００３１】
次に、図８に示すように、両方の把持部３、１３を引っ張った状態のまま、固定用バンド部１０を自由端にある第２把持部１３側から巻付け用バンド部２固定用バンド部１０の通し孔４に通す。
そして、固定用バンド部１０を通し孔４から折り返して、第２把持部１３を持って逆方向に引っ張ることにより、巻付け用バンド部２および固定用バンド部１０によって段積み荷物３０を締め付ける。
【００３２】
次いで、固定用バンド部１０に設けた第２の面ファスナＦ２と第１の面ファスナＦ１とを接合させ、荷崩れ防止バンド１を固定する。
このように幅の狭い固定用バンド部１０の自由端側を引っ張るだけで、幅の広い巻付け用バンド部２を強く締め付けることができる。
【００３３】
この締付に際して固定用バンド部１０が全て折り返される場合を除き、中途位置で折り返される場合は、巻付け用バンド部２に比して縦幅の長さの差から固定バンド部１０の上下には隙間Ｓが形成されるので、締め付けられた荷物がこの隙間から崩れる虞れがある（図８参照）。
【００３４】
そこで、巻付け用バンド部２に第３、第４の面ファスナで接合している補助バンド部２０の自由端側を剥離し、補助バンド部２０の固定端を基点にして前記自由端を反対側の外方、即ち固定用バンド部１０の折り返し方向に広げて、上記固定バンド部１０の全面を覆う。
【００３５】
そして、補助バンド部２０の自由端２１は、巻付け用バンド部２の基端を越えて重なるので、補助バンド部２０の自由端と巻付け用バンド部２の基端側の重合部分でそれぞれ第５、第６の面ファスナの接合によって剥離可能に接合される（図９参照）。
これにより、前記固定バンド部１０に形成された上下の隙間Ｓが補助バンド部２０によって完全に塞がれるので、巻付け用バンド部２と全て同じ幅で段積み荷物３０の外周を締め付けることができる。
【００３６】
［荷崩れ防止バンドの使用法２］
荷崩れ防止バンド１は、段積み荷物の外周寸法が大きい場合に、前記補助バンド部２０を固定端を基点として反対側の外方へ折って開く。
これにより巻付け用バンド部２の先端を越えて補助バンド部２０の先端が外側へ延びるので、図１０に示すように該補助バンド部２０を巻付け用バンド部２の延長部分として用いることができる。
【００３７】
即ち、補助バンド部２０の自由端２１に設けた補助把持部２３の補助通し孔２４を巻付け用バンド部２の通し孔に替えて用い、前記固定用バンド部１０の先端を補助通し孔２４に通して折り返し、固定用バンド部１０の第２の面ファスナＦ２と第１の面ファスナＦ１とが接合し、荷崩れ防止バンド１で段積み荷物を緊締した状態で固定することができる。
【００３８】
これにより、従来の使用法では締め付けることができない段積み荷物の外周であっても、補助バンド部２０を延ばして締め付け可能な外周の長さを延ばすことが可能となり、１つの荷崩れ防止バンド１を２つの用途に使用することができる。
【００３９】
第１の面ファスナ１３と第２の面ファスナ１４の形状及び取り付け位置は図示の例に限られず、固定用バンド部１０を折り返したときに互いに接合可能となるように適宜設計することができる。
本実施例では巻付け用バンド部２や固定用バンド部１０は可撓性を有する素材としたが、その全部または一部に伸縮可能な素材を用いるものであってもよい。
その他、要するにこの発明の要旨を変更しない範囲で種々設計変更しうること勿論である。
【図面の簡単な説明】
【００４０】
【図１】荷崩れ防止バンドの一部を省略した実施例で補助バンド部を中立位置とした状態を示す正面図である。
【図２】補助バンド部を巻付け用バンド部に重ねて待機位置とした状態を示す正面図である。
【図３】補助バンド部を巻付け用バンド部の延長方向に延ばした状態を示す正面図である。
【図４】図２の背面図である。
【図５】図１の補助バンド部を中立位置とした状態の斜視図である。
【図６】（ａ）は図１の左側面図、（ｂ）は右側面図である。
【図７】把持部の異なる実施例を示す拡大図である。
【図８】使用法１で固定バンド部を巻付け用バンド部に固定した使用状態を示す斜視図である。
【図９】使用法１で、補助バンド部２０で固定バンド部の締付個所を覆った使用状態を示す斜視図である。
【図１０】使用法２で、補助バンド部２０を巻付け用バンド部の延長として用いた場合の使用状態を示す斜視図である。
【図１１】（ａ）は把持部の別の実施例を示す拡大図、（ｂ）は把持部の更に別の実施例を示す拡大図である。
【符号の説明】
【００４１】
１    荷崩れ防止バンド
２    巻付け用バンド部
３  把持部
４  通し孔
５  支持ロッド
１０    固定用バンド部
１３    第２取っ手ロッド
１４    把持孔
２０    補助バンド部
２３    補助把持部
２４    補助通し孔
３０    段積み荷物
Ｆ１    第１の面ファスナ
Ｆ２    第２の面ファスナ
Ｆ３    第３の面ファスナ
Ｆ４    第４の面ファスナ
Ｆ５    第５の面ファスナ
Ｆ６    第６の面ファスナ
Ｆ６’  第１の面ファスナの延長上に形成される第６の面ファスナ
【図１】
2008100737.tif 000003
【図２】
2008100737.tif 000004
【図３】
2008100737.tif 000005
【図４】
2008100737.tif 000006
【図５】
2008100737.tif 000007
【図６】
2008100737.tif 000008
【図７】
2008100737.tif 000009
【図８】
2008100737.tif 000010
【図９】
2008100737.tif 000011
【図１０】
2008100737.tif 000012
【図１１】
2008100737.tif 000013
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
段積み荷物に巻き付け固定するための荷崩れ防止バンド（１）において、
段積み荷物に巻き付ける帯状の巻付け用バンド部（２）と、
該巻付け用バンド部（２）の先端に固着され、該巻付け用バンド部（２）の幅とほぼ同等の長さを有する枠体の把持部（３）と、
該把持部（３）に設けられた通し孔（４）と、
前記巻付け用バンド部（２）の幅と同等の幅に設定されて、巻付け用バンド部（２）の荷物と接触しない表面（２ａ）側で先端近傍の中途位置に端部が固着されると共に、上記端部から内向きに折ると前記巻付け用バンド部（２）の表面（２ａ）と重なり、該重なる面の相互に雌雄一対の面ファスナを設けて剥離可能に接合され、上記端部から外向きに折ると巻付け用バンド部（２）の先端の通し孔（４）を表面（２ａ）側から覆って延長方向に延びる帯状の補助バンド部（２０）と、
該補助バンド部（２０）の先端に設けられて前記把持部（３）および通し孔（４）とほぼ同形状の補助把持部（２３）および補助通し孔（２４）と、
前記巻付け用バンド部（２）より幅狭であって前記通し孔（４）および補助通し孔（２４）に挿通可能な幅に設定されて、前記巻付け用バンド部（２）の基端から延長方向外方へ延びると共に、前記通し孔（４）または補助通し孔（２４）に通して折り返し、該折り返した状態で重なる面相互に雌雄一対の面ファスナを設けて剥離可能に接合される帯状の固定用バンド部（１０）と、
該固定用バンド部（１０）を接合した状態で前記補助バンド部（２０）を固定バンド部（１０）の上に重ねた際に前記巻付け用バンド部（２）と補助バンド部（２０）との重なる面相互に設けられた雌雄一対の面ファスナとからなることを特徴とする荷崩れ防止バンド。
【請求項２】
通し孔（４）が、巻付け用バンド部に固着される枠状の把持部（３）の中途位置を略コ字状に突出させて形成してなり、補助通し孔（２４）が、補助バンド部（２０）に固着される枠状の把持部の中途位置をコ字状に突出させて形成してなることを特徴とする請求項１に記載の荷崩れ防止バンド。
【手続補正２】
【補正対象書類名】明細書
【補正対象項目名】全文
【補正方法】変更
【補正の内容】
【発明の詳細な説明】
【技術分野】
【０００１】
本発明は、台車やパレット等に段積みされた荷物の荷崩れ防止のために段積み荷物の周囲に巻き付け固定する荷崩れ防止バンドの改良に関する。
【背景技術】
【０００２】
繰り返し使用可能な荷崩れ防止バンドとして、例えば特開２００４−２３１１３０号が開示されている。
この荷崩れ防止バンドは、段積み荷物に巻き付ける帯状の巻き付け部と、前記巻き付け部の第１端部に沿って取り付けられかつ該巻き付け部の幅と同等の長さをもつ第１取っ手ロッドと、前記巻き付け部の第１端部中央に切り欠いた凹部と前記第１取っ手ロッドにより囲まれた通し孔と、前記巻き付け部の第２端部に沿って取り付けられかつ該巻き付け部の幅と同等の長さをもつ支持ロッドと、前記巻き付け部よりも幅が狭くかつ前記第２端部中央から延在する帯状のバンド固定部と、前記バンド固定部の端部に沿って取り付けられかつ該バンド固定部の幅と同等の長さをもつ第２取っ手ロッドと、前記バンド固定部の片面上に設けた第１面ファスナと、前記バンド固定部の前記片面上端部に設けた第２面ファスナとを有し、前記巻き付け部を段積み荷物に巻き付け、前記バンド固定部の前記第２取っ手ロッドを前記巻き付け部の前記通し孔に通し該バンド固定部を折り返したときに前記第１面ファスナと前記第２面ファスナとが接合可能である構成からなっている。
しかし、上記構成の荷崩れ防止バンドでは、バンド固定部が巻き付け部よりも幅が狭く設定されているため、段積み荷物に固定用バンド部で巻き付けられた部分は、巻き付け部で巻き付けられた部分に比べて幅狭となり、荷崩れしやすく十分な巻き付けが行われないという欠点があった。
【特許文献１】特開２００４−２３１１３０号
【発明の開示】
【発明が解決しようとする課題】
【０００３】
この発明は、上記欠点を解消するために創案したものであって、その主たる課題は、固定用バンド部で巻き付けた個所の隙間部分を補助バンド部で覆うことで、荷崩れの防止を確実に行うことができる。
更に、この発明では、補助バンドを外側に向かって折ることで、巻付け用バンド部の長さを延長させることができ、段積み荷物の輪郭形状が大きい場合に対応させることができ、１つの荷崩れ防止バンドで２通りに使用することができる。
【課題を解決するための手段】
【０００４】
この発明は、上記課題を達成するために、請求項１の発明では、
段積み荷物に巻き付け固定するための荷崩れ防止バンド（１）において、
段積み荷物に巻き付ける帯状の巻付け用バンド部（２）と、
該巻付け用バンド部（２）の先端に固着され、該巻付け用バンド部（２）の幅とほぼ同等の長さを有する枠体の把持部（３）と、
該把持部（３）に設けられた通し孔（４）と、
前記巻付け用バンド部（２）の幅と同等の幅に設定されて、巻付け用バンド部（２）の荷物と接触しない表面（２ａ）側で先端近傍の中途位置に端部が固着されると共に、上記端部から内向きに折ると前記巻付け用バンド部（２）の表面（２ａ）と重なり、該重なる面の相互に雌雄一対の面ファスナを設けて剥離可能に接合され、上記端部から外向きに折ると巻付け用バンド部（２）の先端の通し孔（４）を表面（２ａ）側から覆って延長方向に延びる帯状の補助バンド部（２０）と、
該補助バンド部（２０）の先端に設けられて前記把持部（３）および通し孔（４）とほぼ同形状の補助把持部（２３）および補助通し孔（２４）と、
前記巻付け用バンド部（２）より幅狭であって前記通し孔（４）および補助通し孔（２４）に挿通可能な幅に設定されて、前記巻付け用バンド部（２）の基端から延長方向外方へ延びると共に、前記通し孔（４）または補助通し孔（２４）に通して折り返し、該折り返した状態で重なる面相互に雌雄一対の面ファスナを設けて剥離可能に接合される帯状の固定用バンド部（１０）と、
該固定用バンド部（１０）を接合した状態で前記補助バンド部（２０）を固定バンド部（１０）の上に重ねた際に前記巻付け用バンド部（２）と補助バンド部（２０）との重なる面相互に設けられた雌雄一対の面ファスナとからなることを特徴とする。
請求項２の発明では、
前記通し孔が、巻付け用バンド部に固着される枠状の把持部の中途位置を略コ字状に突出させて形成してなり、補助通し孔が、補助バンド部に固着される枠状の把持部の中途位置をコ字状に突出させて形成してなることを特徴とする。
【発明の効果】
【０００５】
この発明の荷崩れ防止バンドは、巻付け用バンド部より幅狭な固定用バンド部を用いて取付作業の作業性の向上を図ると共に、補助バンド部を設けて１つの荷崩れ防止バンドを２通りに使用することができるようにしている。
即ち、通常の使用法では、固定用バンド部を折り返して締め付ける個所で巻付け用バンド部との縦幅の差から生じる隙間部分を補助バンド部で覆うことで、荷崩れの防止を確実に行うことができる。
また、固定用バンド部を外側に向かって折ることで、巻付け用バンド部に代わってその先端位置を延長させ補助通し孔を用いて固定用バンド部を折り返して固定することができるので、段積み荷物の輪郭形状が大きい場合に対応させることができる。
【発明を実施するための最良の形態】
【０００６】
この発明の荷崩れ防止バンドは、固定用バンド部を有する巻付け用バンド部に剥離可能に補助バンド部を設けており、固定バンド部で巻付け用バンド部を締め付けて固定する際には補助バンド部で固定バンド部を覆うことができ、段積み荷物の外周が大きい場合は補助バンド部を巻付け用バンド部の外側に延ばして実質的に巻付け用バンド部を延長し、固定バンド部で締め付けて固定することで、２通りの使用法を実現した。
【実施例１】
【０００７】
以下に、この発明の荷崩れ防止バンド１の好適実施例について図面を参照しながら説明する。
荷崩れ防止バンド１は、通常、各構成部材を縫合して製造されるが、図示例では縫い目を省略している。
縫合の他に、熱圧着、接着等の他の手段を用いて製造することもできる。
【０００８】
［巻付け用バンド部］
図１〜図５に示すように、荷崩れ防止バンド１は、段積み荷物に巻き付けるための巻付け用バンド部２を有する。
この巻付け用バンド部２は、所定の幅を有するポリエステル等の生地からなる可撓性を有する帯状部材からなる。
また、巻付け用バンド部２の長さは、固定しようとする段積み荷物の周囲長さに対応した適宜長さに設定される。
【０００９】
［把手部］
巻付け用バンド部２の先端（図１の右側）に沿って把手部３が取り付けられる。
該把持部３は、巻付け用バンド部２の幅とほぼ同等の長さを有する剛体の合成樹脂製の枠体からなっているが、金属製でもよい。
【００１０】
この把持部３は、無端で略矩形の枠体からなっており、後方の枠辺に巻付け用バンド部２の先端を巻き付けて固定することで、巻付け用バンド部２の先端を広げた状態で維持することができる。
【００１１】
［通し孔］
この把持部３の前方の辺には、その中央をコ字状に突出させた凸部３ａを設けており、該凸部３ａと巻付け用バンド部２の先端によって略矩形の孔が形成され、後述の固定用バンド部１０の先端を通す通し孔４となっている。
また、把持部３に、前記凸部３ａの開放側を仕切用の柱３ｂで仕切って、通し孔４と巻付け用バンド部２の先端を通して巻き付けるための空間とに二分するように形成してもよい（図７参照）。
本実施例では、通し孔４を把持部３に設けたが、この発明では、把持部や通し孔の構造は特に限定されるものではない。
【００１２】
図１１（ａ）に示す把持部３では、凸部３ａが、その上下に設けられて前方へ延びる一対の枠辺部３２を外方に向かって漸次幅広に広がるテーパ状に形成されており、その延出端の間を繋いで上下に延びる先端の枠辺部３１の中央に、中央部分が最も横幅が広く上下両側に向かって徐々に横幅が狭くなる円弧形状の縁部を有するガイド片部３３が、その横幅が幅広となる個所が仕切用の柱３ｂへ向くように配置して先端の枠辺部３１に一体に形成されている。
【００１３】
固定バンド部１０の自由端を通し孔４に挿入して折り返して固定バンド部１０を引っ張ると、固定バンド部１０はその中央部分がガイド片部３３の円弧形状にガイドされて、その最も横幅が広くなる個所を境に、上方の縁部に接するバンドの部分は上方向にガイドされ、下方の縁部に接するバンドの部分は下方向にガイドされるので、固定バンド部１０の中央部分に皺がよったり捩れることなく上下の両側に引っ張られた状態で固定バンド部１０を締め付けることができる。
また、枠辺部３２、３２はテーパ状に延びており、縦幅の狭い基端側が固定バンド部１０の縦幅より僅かに長く、縦幅の広い先端側が更に長く設定されているので、固定バンド部１０が皺を解消して上下方向にずれて折り返された場合であっても、通し孔４の上下方向にクリアランスができるので、折り返されるバンド部分の上下方向での皺や捻れを防止できる。
【００１４】
上記把持部３の構造は、巻付け用バンド部２と固定バンド部１０とが同じ縦幅で一連に形成されている荷崩れ防止バンドの場合にも適用することができる。
図１１（ｂ）に示す把持部３’は、上記巻付け用バンド部２と同じ幅の固定バンド部１０を通して締め付ける場合に用いるものであって、把持部３’の通し孔４を形成する枠体が、上下に設けられて前方へ延びる一対の枠辺部３２’を外方に向かって漸次幅広に広がるテーパ状に形成されており、その延出端の間を繋いで上下に延びる先端の枠辺部３１’の中央に、中央部分が最も横幅が広く上下両側に向かって徐々に横幅が狭くなる円弧形状の縁部を有するガイド片部３３’が、その横幅が幅広となる個所が仕切用の柱３４’へ向くように配置して先端の枠辺部３１’に一体に形成されている。
この場合も上記実施例と同様の作用となる。
【００１５】
即ち、前記固定バンド部の自由端（巻付け用バンド部２の後端、以下同じ）を通し孔４に挿入して折り返し、上記固定バンド部を引っ張ると、固定バンド部１０はその中央部分がガイド片部３３’の円弧形状にガイドされて、その最も横幅が広くなる個所を境に、上方の縁部に接するバンドの部分は上方向にガイドされ、下方の縁部に接するバンドの部分は下方向にガイドされるので、固定バンド部の中央部分に皺がよったり捩れることなく上下に引っ張られた状態で固定バンド部を締め付けることができる。
また、枠辺部３２’、３２’はテーパ状に延びており、縦幅の狭い基端側が固定バンド部の縦幅より僅かに長く、縦幅の広い先端側が更に長く設定されているので、固定バンド部が皺を解消して上下方向にずれて折り返された場合であっても、通し孔４の上下方向にクリアランスができるので、折り返されるバンド部分の上下方向での皺や捻れを防止できる。
【００１６】
［補助バンド部］
前記巻付け用バンド部２の表面２ａでの先端近傍には、巻付け用バンド部２の幅と同じ幅に設定された帯状の補助バンド部２０の基端が固着（固着端２１とする）されている（図２、図３参照）。
また、補助バンド部２０の先端には、前記巻付け用バンド部２の把持部３と通し孔４と同様にこれに対応して同一形状からなる補助把持部２３と補助通し孔２４とが形成されている。
上記補助バンド部２０は、巻付け用バンド部２に固着された固着端２１を基点にして内向きに折ると、図２に示すように前記巻付け用バンド部２と重なる。
【００１７】
［第３、第４の面ファスナ］
この巻付け用バンド部２の中途位置と補助バンド部２０の自由端２２側とで重なる面の相互に、雌雄一対の第３、第４の面ファスナＦ３、Ｆ４が設けられており、補助バンド部２０が巻付け用バンド部２に重なる待機位置で剥離可能に接合される。
図示例の場合、第３の面ファスナＦ３は雌（パイル形成面、以下同じ）であり、巻き付け用バンド部２の中途位置で上下一対に設けられている。
【００１８】
一方、第４の面ファスナＦ４は雄（フック形成面、以下同じ）であって、補助バンド部２０の内面２０ａの自由端に沿って上下一対に配置されている（図６（ａ）参照）。
ここで、第３の面ファスナＦ３は、前記第４の面ファスナＦ４と対になって剥離可能に接合するものであればよく、その雌雄は逆に設定されていてもよく、その数や配置も図示例に限定されるものでないこと勿論である。
【００１９】
［第５、第６の面ファスナ］
また、補助バンド部２０の外面２０ｂの自由端２２に沿って、第５の面ファスナＦ５が形成され（図５、図６（ｂ）参照）、巻付け用バンド部２には、その基端から中途位置まで延びる第６の面ファスナＦ６が設けられている。
【００２０】
図示例の場合、第５の面ファスナＦ５は雄からなっており、上下両端および中間に２個所の合計４個所にほぼ等間隔に面ファスナが取り付けられている。
一方、第６の面ファスナＦ６は雌からなっており、巻付け用バンド部２の基端で上下両端および中間に２個所の合計４個所で中途位置まで延びるやや長尺の面ファスナが取り付けられている。
【００２１】
ここで、中間に設けられた２つの第６の面ファスナＦ６’は、後述の第１の面ファスナＦ１の延長上に形成されている。
また、ここでも、第５の面ファスナＦ５は、前記第６の面ファスナＦ６と対になって剥離可能に接合するものであればよく、その雌雄は逆に設定されていてもよく、その数や配置も図示例に限定されるものでない。
更に、第６の面ファスナＦ６を複数設け、第５の面ファスナＦ５は複数に分割せず、縦幅に沿って一連に延びる１条の面ファスナとしてもよい。
【００２２】
上記補助バンド部２０は、前記固定端２１を基点にして外向きに折ると、図３に示すように巻付け用バンド部２の先端を超えて延長方向に延びる。
これにより補助バンド部２０の補助把持部２３と補助通し孔２４とが巻付け用バンド部２の把持部３と通し孔４に替わって機能する。
【００２３】
巻付け用バンド部２の基端（図１の左側）に沿って、該端部が緊張状態を保つように補強部材５が取り付けられる。
補強部材５は、本実施例では剛性を有する細幅のプレートを内蔵しているが、プレートに限らずロッド状のもの、あるいは生地の厚みを持たせて端部を補強するものなどであってもよい。
【００２４】
［固定用バンド部］
次ぎに、巻付け用バンド部２の基端の中央部分には、巻付け用バンド部２よりも幅の狭い帯状部材である固定用バンド部１０の一方の端部がその中央に固着され、長手方向に延出している（図４参照）。
【００２５】
この固定用バンド部１０は、巻付け用バンド部２と同じ可撓性を有するポリエステル等の素材からなっている。
図示例で、固定用バンド部１０の幅は、巻付け用バンド部２の幅の半分程度としているが、この発明では巻付け用バンド部２より幅狭であればよく、特に限定されない。
【００２６】
［第２把持部］
さらに、固定用バンド部１０の反対側の自由端部１１には、この自由端部に沿って固定用バンド部１０を引っ張るための第２把持部１３が形成される。
図示例の場合、第２把持部１３は、固定用バンド部１０の自由端１１に沿って固着されたロッドと、固定用バンド部１０の自由端の中央近傍に形成されたコ字状の切欠からなって前記ロッドと切欠とによって把持孔１４が形成されている。
この発明で、第２把持部１３および把持孔１４の構成は上記実施例に限定されるものではなく、固定用バンド部１０を引っ張るために持つことができる把手部であればよい。
【００２７】
［第１の面ファスナ］
さらに、固定用バンド部１０の片面である表面１０ａ上には、端部近傍を除いた長手方向の全長に亘って雌の第１の面ファスナＦ１が上下一対に取り付けられている。
本実施例では、一対の第１の面ファスナＦ１は固定用バンド部１０を超えてさらに巻付け用バンド部２の表面２ａの中途位置まで同一線上に一連に延びており、後述の第６面ファスナＦ６’の一部を構成している。
なお、図４に示すように、巻付け用バンド部２および後述の固定バンド部１０の荷物と接触する側の内面２ｂには、面ファスナは設けられておらず凹凸の無い扁平面となっている。
【００２８】
この第１の面ファスナＦ１の長さは、固定しようとする段積み荷物の周囲長さに適して設定される巻付け用バンド部２の長さを考慮して適宜設定されるが、更に延長して第６面ファスナＦ６’となり、後述の補助バンド部２０の先端に形成された第５面ファスナＦ５とも接合しうるようになっている。
【００２９】
［第２の面ファスナ］
さらに第１の面ファスナＦ１が取り付けられた片面と同じ表面２ａ上の固定用バンド部１０の自由端１１側には、雄からなる第２の面ファスナＦ２が、前記第１の面ファスナＦ１と同じ幅で繋がって上下一対に取り付けられている。
該第２の面ファスナＦ２は、前記第１の面ファスナＦ１と対になって剥離可能に接合するものであればよく、その雌雄は逆に設定されていてもよく、その数や配置も図示例に限定されるものでないこと勿論である。
【００３０】
［荷崩れ防止バンドの使用法１］
荷崩れ防止バンド１は、巻付け用バンド部２と固定用バンド部１０とを広げて段積み荷物３０の周囲に巻き付ける。
巻き付けた後、作業者は片手で巻付け用バンド部２の把持部３を持ち、片手で固定用バンド部１０の第２把持部１３を掴んでそれぞれの両端部を引き寄せて、荷崩れ防止バンド１で段積み荷物３０を締め付けると共に、荷崩れ防止バンド１が偏ったり捻れたりしないように姿勢を整える。
【００３１】
次に、図８に示すように、両方の把持部３、１３を引っ張った状態のまま、固定用バンド部１０を自由端にある第２把持部１３側から巻付け用バンド部２固定用バンド部１０の通し孔４に通す。
そして、固定用バンド部１０を通し孔４から折り返して、第２把持部１３を持って逆方向に引っ張ることにより、巻付け用バンド部２および固定用バンド部１０によって段積み荷物３０を締め付ける。
【００３２】
次いで、固定用バンド部１０に設けた第２の面ファスナＦ２と第１の面ファスナＦ１とを接合させ、荷崩れ防止バンド１を固定する。
このように幅の狭い固定用バンド部１０の自由端側を引っ張るだけで、幅の広い巻付け用バンド部２を強く締め付けることができる。
【００３３】
この締付に際して固定用バンド部１０が全て折り返される場合を除き、中途位置で折り返される場合は、巻付け用バンド部２に比して縦幅の長さの差から固定バンド部１０の上下には隙間Ｓが形成されるので、締め付けられた荷物がこの隙間から崩れる虞れがある（図８参照）。
【００３４】
そこで、巻付け用バンド部２に第３、第４の面ファスナで接合している補助バンド部２０の自由端側を剥離し、補助バンド部２０の固定端を基点にして前記自由端を反対側の外方、即ち固定用バンド部１０の折り返し方向に広げて、上記固定バンド部１０の全面を覆う。
【００３５】
そして、補助バンド部２０の自由端２１は、巻付け用バンド部２の基端を越えて重なるので、補助バンド部２０の自由端と巻付け用バンド部２の基端側の重合部分でそれぞれ第５、第６の面ファスナの接合によって剥離可能に接合される（図９参照）。
これにより、前記固定バンド部１０に形成された上下の隙間Ｓが補助バンド部２０によって完全に塞がれるので、巻付け用バンド部２と全て同じ幅で段積み荷物３０の外周を締め付けることができる。
【００３６】
［荷崩れ防止バンドの使用法２］
荷崩れ防止バンド１は、段積み荷物の外周寸法が大きい場合に、前記補助バンド部２０を固定端を基点として反対側の外方へ折って開く。
これにより巻付け用バンド部２の先端を越えて補助バンド部２０の先端が外側へ延びるので、図１０に示すように該補助バンド部２０を巻付け用バンド部２の延長部分として用いることができる。
【００３７】
即ち、補助バンド部２０の自由端２１に設けた補助把持部２３の補助通し孔２４を巻付け用バンド部２の通し孔に替えて用い、前記固定用バンド部１０の先端を補助通し孔２４に通して折り返し、固定用バンド部１０の第２の面ファスナＦ２と第１の面ファスナＦ１とが接合し、荷崩れ防止バンド１で段積み荷物を緊締した状態で固定することができる。
【００３８】
これにより、従来の使用法では締め付けることができない段積み荷物の外周であっても、補助バンド部２０を延ばして締め付け可能な外周の長さを延ばすことが可能となり、１つの荷崩れ防止バンド１を２つの用途に使用することができる。
【００３９】
第１の面ファスナ１３と第２の面ファスナ１４の形状及び取り付け位置は図示の例に限られず、固定用バンド部１０を折り返したときに互いに接合可能となるように適宜設計することができる。
本実施例では巻付け用バンド部２や固定用バンド部１０は可撓性を有する素材としたが、その全部または一部に伸縮可能な素材を用いるものであってもよい。
その他、要するにこの発明の要旨を変更しない範囲で種々設計変更しうること勿論である。
【図面の簡単な説明】
【００４０】
【図１】荷崩れ防止バンドの一部を省略した実施例で補助バンド部を中立位置とした状態を示す正面図である。
【図２】補助バンド部を巻付け用バンド部に重ねて待機位置とした状態を示す正面図である。
【図３】補助バンド部を巻付け用バンド部の延長方向に延ばした状態を示す正面図である。
【図４】図２の背面図である。
【図５】図１の補助バンド部を中立位置とした状態の斜視図である。
【図６】（ａ）は図１の左側面図、（ｂ）は右側面図である。
【図７】把持部の異なる実施例を示す拡大図である。
【図８】使用法１で固定バンド部を巻付け用バンド部に固定した使用状態を示す斜視図である。
【図９】使用法１で、補助バンド部２０で固定バンド部の締付個所を覆った使用状態を示す斜視図である。
【図１０】使用法２で、補助バンド部２０を巻付け用バンド部の延長として用いた場合の使用状態を示す斜視図である。
【図１１】（ａ）は把持部の別の実施例を示す拡大図、（ｂ）は把持部の更に別の実施例を示す拡大図である。
【符号の説明】
【００４１】
１    荷崩れ防止バンド
２    巻付け用バンド部
３  把持部
４  通し孔
５  支持ロッド
１０    固定用バンド部
１３    第２取っ手ロッド
１４    把持孔
２０    補助バンド部
２３    補助把持部
２４    補助通し孔
３０    段積み荷物
Ｆ１    第１の面ファスナ
Ｆ２    第２の面ファスナ
Ｆ３    第３の面ファスナ
Ｆ４    第４の面ファスナ
Ｆ５    第５の面ファスナ
Ｆ６    第６の面ファスナ
Ｆ６’  第１の面ファスナの延長上に形成される第６の面ファスナ